(57)【要約】【課題】左チャネルと右チャネルとのステレオ音声信号を伝送するステレオ音声信号伝送システムに関し、片チャネルの音声信号の欠落状態を回避する。【解決手段】左チャネルの信号Ｌと右チャネルＲの信号とによるステレオ音声信号を、専用線ネットワークを介して伝送するステレオ音声信号伝送システムであって、左チャネルＬの音声信号と右チャネルＲの音声信号とが所定時間継続して０レベルか否かを検出する０レベル検出部１３（２３）と、この０レベル検出部１３（２３）により検出した０レベルのチャネルの音声信号の代わりに、他方のチャネルの音声信号をコピーして付加する構成を含むＰ／Ｓ変換部１４又はＳ／Ｐ変換部２４との手段とを備えている。【選択図】図１
2009296497.tif 000002
【特許請求の範囲】
【請求項１】
左チャネルの信号と右チャネルの信号とによるステレオ音声信号を、専用線ネットワークを介して伝送するステレオ音声信号伝送システムに於いて、
前記左チャネルの音声信号と前記右チャネルの音声信号とが所定時間継続して０レベルか否かを検出する０レベル検出部と、
該０レベル検出部により検出した０レベルのチャネルの音声信号の代わりに、他方のチャネルの音声信号をコピーして付加する手段と
を備えたことを特徴とするステレオ音声信号伝送システム。
【請求項２】
左チャネルの信号と右チャネルの信号とによるステレオ音声信号を、専用線ネットワークを介して伝送するステレオ音声信号伝送システムに於いて、
前記左チャネルの音声信号と前記右チャネルの音声信号とをディジタル信号に変換するＡ／Ｄ変換部と、
該Ａ／Ｄ変換部により変換された左チャネルと右チャネルとのディジタル信号が所定時間継続して０レベルか否かを検出する０レベル検出部と、
該０レベル検出部により検出した０レベルのチャネルのディジタル信号の代わりに、他方のチャネルのディジタル信号をコピーして付加する手段と、
前記左チャネルと前記右チャネルとのディジタル信号を直列ディジタル信号に変換して送出する並列直列変換部と
を備えたことを特徴とするステレオ音声信号伝送システム。
【請求項３】
左チャネルの信号と右チャネルの信号とによるステレオ音声信号を、専用線ネットワークを介して伝送するステレオ音声信号伝送システムに於いて、
前記左チャネルと前記右チャネルとのディジタル信号を並列直列変換により変換した直列ディジタル信号を受信して、左チャネルと右チャネルとのディジタル信号に変換し且つ左チャネルと右チャネルとの何れか一方のチャネルのディジタル信号をコピーして他方のチャネルのディジタル信号として挿入する手段を含む直列並列変換部と、
該直列並列変換部により変換された左チャネルと右チャネルとのディジタル信号が所定時間継続して０レベルか否かを検出し、０レベル検出のチャネル情報を前記直列並列変換部に通知する手段を含む０レベル検出部と、
該０レベル検出部を介した左チャネルと右チャネルとのディジタル信号をアナログ信号に変換するＤ／Ａ変換部と
を備えたことを特徴とするステレオ音声信号伝送システム。
【発明の詳細な説明】
【技術分野】
【０００１】
本発明は、右チャネルと左チャネルとのステレオ音声信号を、専用線ネットワークを介して伝送するステレオ音声信号伝送システムに関する。
【背景技術】
【０００２】
放送キー局から各地に分散配置した複数の放送局へ、専用線ネットワークを介してステレオ放送信号を伝送し、各放送局からＦＭ等の変調方式に従って変調した放送波により送信するシステムが知られており、ステレオ放送が一般的である。このステレオ放送は、左チャネル音声信号Ｌと右チャネル音声信号Ｒとを、例えば、Ｌ＋Ｒと、Ｌ−Ｒとで示す和分と差分との信号を用いて直交変調するＣ−ＱＵＡＭ（Ｃｏｍｐａｔｉｂｌｅ  Ｑｕａｄｒａｔｕｒｅ  Ａｍｐｌｉｔｕｄｅ  Ｍｏｄｕｌａｔｉｏｎ）方式により変調して送信する場合が一般的である。このＣ−ＱＵＡＭ方式による放送信号は、モノラル受信機によっても受信再生可能の利点を含むものである。
【０００３】
又専用線ネットワークを介してステレオ放送信号を伝送するシステムに於いては、例えば、前述のＣ−ＱＵＡＭ方式に従って変調した信号を伝送するか、又は左チャネル音声信号と右チャネル音声信号とをそれぞれディジタル信号に変換し、且つ並列直列変換により多重化して、ディジタル専用線ネットワークを介して伝送することになり、各放送局は、専用線ネットワークを介して受信したステレオ放送信号を変調して放送アンテナから送信する。このようなステレオ放送信号を受信するステレオ受信装置に於いて、受信状態が悪い時には、ステレオ放送がモノラル放送のように再生される。そこで、左チャネル信号と右チャネル信号とに対して、擬似的なステレオ信号の合成比率を制御して、擬似的なステレオ放送受信を行う手段が提案されている（例えば、特許文献１参照）。
【特許文献１】特開２０００−３３２７１０号公報
【発明の開示】
【発明が解決しようとする課題】
【０００４】
前述のような放送キー局から複数の放送局へ専用線ネットワークを介してステレオ放送信号を伝送するシステムに於いて、左右チャネルの何れか一方のチャネルの信号が欠落すると、各放送局からは片チャネルのみの信号を送信することになり、場合によっては、広範囲にわたるサービス低下の問題がある。このような片チャネル信号のみで放送した場合、前述の従来の特許文献１等により提案されているステレオ受信装置のように、擬似的にステレオ放送再生状態とすることも可能であるが、総てのステレオ受信装置の機能ではないから、サービス低下は避けられない問題がある。
【０００５】
本発明は、前述の従来の問題を解決することを目的とし、専用線ネットワークを介して伝送するステレオ放送信号の片チャネル信号の障害発生によるレベル低下状態又は断状態を検出して、両チャネルについて暫定的に同一の信号として伝送し、ステレオ放送を継続する。
【課題を解決するための手段】
【０００６】
本発明のステレオ音声信号伝送システムは、左チャネルの信号と右チャネルの信号とによるステレオ音声信号を、専用線ネットワークを介して伝送するステレオ音声信号伝送システムであって、左チャネルの音声信号と右チャネルの音声信号とが所定時間継続して０レベルか否かを検出する０レベル検出部と、この０レベル検出部により検出した０レベルのチャネルの音声信号の代わりに、他方のチャネルの音声信号をコピーして付加する手段とを備えている。
【０００７】
又左チャネルの音声信号と右チャネルの音声信号とをディジタル信号に変換するＡ／Ｄ変換部と、このＡ／Ｄ変換部により変換された左チャネルと右チャネルとのディジタル信号が所定時間継続して０レベルか否かを検出する０レベル検出部と、この０レベル検出部により検出した０レベルのチャネルのディジタル信号の代わりに、他方のチャネルのディジタル信号をコピーして付加する手段と、左チャネルと右チャネルとのディジタル信号を直列ディジタル信号に変換して送出する並列直列変換部とを備えることができる。
【０００８】
又左チャネルと右チャネルとのディジタル信号を並列直列変換により変換した直列ディジタル信号を受信して、左チャネルと右チャネルとのディジタル信号に変換し且つ左チャネルと右チャネルとの何れか一方のチャネルのディジタル信号をコピーして他方のチャネルのディジタル信号として挿入する手段を含む直列並列変換部と、この直列並列変換部により変換された左チャネルと右チャネルとのディジタル信号が所定時間継続して０レベルか否かを検出し、０レベル検出のチャネル情報を前記直列並列変換部に通知する手段を含む０レベル検出部と、この０レベル検出部を介した左チャネルと右チャネルとのディジタル信号をアナログ信号に変換するＤ／Ａ変換部とを備えることができる。
【発明の効果】
【０００９】
ステレオ音声信号の伝送過程に於いて、何らかの障害により、片チャネルの音声信号が欠落した場合、０レベル検出部により検出し、正常なチャネルの音声信号を、障害発生チャネルの音声信号の代わりに付加し、両チャネルとも同一の音声信号として伝送する。それにより、ステレオ受信装置は、一方のチャネルの音声信号が出力されない不自然な状態となるステレオ放送のサービス低下を回避することができる
【発明を実施するための最良の形態】
【００１０】
本発明のステレオ音声信号伝送システムは、左チャネルの信号と右チャネルの信号とによるステレオ音声信号を、専用線ネットワークを介して伝送するステレオ音声信号伝送システムであって、左チャネルの音声信号と右チャネルの音声信号とが所定時間継続して０レベルか否かを検出する０レベル検出部と、この０レベル検出部により検出した０レベルのチャネルの音声信号の代わりに、他方のチャネルの音声信号をコピーして付加する手段とを備えている。
【実施例１】
【００１１】
図１は、本発明の実施例１のステレオ音声信号伝送システムの概要を示すものであり、１は放送キー局、２−１〜２−ｎは放送局、３は専用線ネットワーク、４は０系送信部、５は１系送信部、６は系切替制御等を行う制御部を示す。専用線ネットワーク３を介して放送キー局１と各放送局２−１〜２−ｎとの間で、ステレオ放送信号や他の信号の送受信が可能の構成を有し、又放送キー局１は、０系、１系の二重化構成として、信頼性を向上した場合を示しており、又各放送局２−１〜２−ｎも放送設備を二重化構成とする場合が一般的である。放送キー局１から０系送信部４と１系送信部５との何れか一方を制御部６により選択して、ステレオ放送信号を、専用線ネットワーク３を介して各放送局２−１〜２−ｎに送信する。各放送局２−１〜２−ｎは、受信したステレオ放送信号を無線周波数に変調してアンテナから送信する。
【００１２】
前述のように、放送キー局１から専用線ネットワーク３を介して各放送局２−１〜２−ｎに送信したステレオ放送信号が何らかの障害により片チャネル信号のみとなった場合の検出手段を、放送キー局１の０系送信部４及び１系送信部５と各放送局２−１〜２−ｎの受信部（図示を省略）との何れか一方又は両方に設け、片チャネル障害発生を検出した場合、一方の健全な片チャネルの信号をコピーして、他方の障害発生の片チャネルの信号として処理する手段を設ける。それにより、片チャネル障害を救済し、ステレオ受信装置に於ける片チャネルの音声のみが再生される不自然さを回避する。
【００１３】
図２は、光信号を中継伝送する専用線ネットワークを用いた場合の送信部（Ａ）と受信部（Ｂ）との説明図であり、１１は左チャネル信号と右チャネル信号Ｒとを入力するアナログ入力部、１２はＡ／Ｄ変換部、１３は０レベル検出部、１４は並列直列変換を行うＰ／Ｓ変換部、１５は符号変換部、１６はクロック信号ＣＬＫにより速度変換するＣＬＫ乗換部、１７は電光変換部（Ｅ／Ｏ）、２１は左チャネル信号Ｌと右チャネル信号Ｒとを出力するアナログ出力部、２２はＤ／Ａ変換部、２３は０レベル検出部、２４は直列並列変換を行うＳ／Ｐ変換部、２５は符号変換部、２６はクロック信号ＬＣＫにより速度変換するＣＬＫ乗換部、２７は光電変換部（Ｏ／Ｅ）を示す。なお、Ａ／Ｄ変換部１２及びＤ／Ａ変換部２２は、ディジタルフィルタを含む構成とすることができる。
【００１４】
送信部は、ステレオ放送信号の左チャネル信号Ｌと右チャネル信号Ｒとをアナログ入力部１１に入力し、Ａ／Ｄ変換部１２によりディジタル信号に変換し、０レベル検出部１３により０レベルが所定時間継続するか否かを検出する。例えば、継続時間を１０秒とし、且つ０レベルは、Ａ／Ｄ変換部１２の分解能により定まる０レベルとそれに近いレベルとについて検出する。このＡ／Ｄ変換部１２が２４ビット構成のディジタル信号に変換する構成の場合、最下位ビットを含む数ビットが“０”でなくても、ノイズ成分のみを示す場合があるから、音声信号としては０レベルとして検出し、左チャネルか右チャネルかを示す情報と０レベル検出情報とをＰ／Ｓ変換部１４へ転送する。
【００１５】
Ｐ／Ｓ変換部１４は、左チャネルＬと右チャネルＲとの並列ディジタル信号を直列ディジタル信号に変換すると共に、０レベル検出部１３からの左チャネルか右チャネルかを示す情報と０レベル検出情報とに応じて、例えば、一方の左チャネル信号が０レベルとして検出された場合、他方の右チャネルのディジタル信号をコピーし、左チャネルのディジタル信号の代わりに挿入し、並列直列変換を行う機能を備えている。又符号変換部１５は、リニア特性のディジタル信号を折れ線符号に変換してＣＬＫ乗換部１６へ転送し、このＣＬＫ乗換部１６により、例えば、８Ｍｂｐｓ系を６Ｍｂｐｓ系のクロックによる速度変換を行い、電光変換部１７により光信号に変換して送信する。この光信号は、例えば、図１に於ける専用線ネットワークを光信号伝送用として構成することにより、ステレオ放送信号を光信号として、放送キー局１から各放送局２−１〜２−ｎへ送信することができ、且つ片チャネル欠落状態を防止したステレオ放送信号を送信することができる。
【００１６】
又光信号によるステレオ放送信号を受信する受信部（図２の（Ｂ））に於いては、光電変換部２７により光信号を電気信号に変換し、ＣＬＫ乗換部２６により、例えば、６Ｍｂｐｓ系を８Ｍｂｐｓ系に変換し、符号変換部２５により、符号変換部１５による処理に対して逆変換処理を行い、Ｓ／Ｐ変換部２４により直列ディジタル信号を並列ディジタル信号に変換する。即ち、左チャネルと右チャネルとのディジタル信号に変換する。０レベル検出部２３は、前述の送信部の０レベル検出部１３と同様に、左チャネルと右チャネルとのディジタル信号が、それぞれ所定時間、例えば、１０秒間継続して０レベル又はそれに近いレベルを示す場合を検出し、左チャネルか右チャネルかを示す情報と、０レベル検出情報とをＳ／Ｐ変換部２４へ転送する。Ｓ／Ｐ変換部２４は、例えば、左チャネル情報と０レベル情報とが入力された場合、右チャネルのディジタル信号をコピーして左チャネルのディジタル信号とする。
【００１７】
又Ｄ／Ａ変換部２２は、Ｓ／Ｐ変換部２４により並列に変換され、０レベル検出部２２を介して入力された左チャネルと右チャネルとのディジタル信号をアナログ信号に変換し、アナログ出力部２１から図示を省略した無線放送送信部へ転送し、ステレオ放送を行うものである。従って、片チャネル欠落状態のステレオ放送となることを確実に回避することができる。
【００１８】
前述のステレオ放送信号の伝送方式として、左チャネル信号と右チャネル信号とを、Ｃ−ＱＵＡＭ方式の放送信号として変調して伝送する場合、その伝送過程の所望の位置に、左チャネル信号と右チャネル信号とに復調して、所定時間継続して０レベルとなるか否かを検出し、０レベル継続のチャネルの信号の代わりに、正常な側のチャネルの信号をコピーして、再度Ｃ−ＱＵＡＭ方式に変調して伝送する構成とすることも可能である。
【図面の簡単な説明】
【００１９】
【図１】本発明の実施例１の説明図である。
【図２】本発明の実施例１の送受信部の説明図である。
【符号の説明】
【００２０】
１  放送キー局
２−１〜２−ｎ  放送局
３  専用線ネットワーク
４  ０系送信部
５  １系送信部
６  制御部
１１  アナログ入力部
１２  Ａ／Ｄ変換部
１３  ０レベル検出部
１４  Ｐ／Ｓ変換部
１５  符号変換部
１６  ＣＬＫ乗換部
１７  電光変換部（Ｅ／Ｏ）
２１  アナログ出力部
２２  Ｄ／Ａ変換部
２３  ０レベル検出部
２４  Ｓ／Ｐ変換部
２５  符号変換部
２６  ＣＬＫ乗換部
２７  光電変換部（Ｏ／Ｅ）
【図１】
2009296497.tif 000003
【図２】
2009296497.tif 000004